(57)【要約】【課題】鋼板でふかれた屋根上に安定して置いておくことができ、持ち運びと取り扱いも容易な金属屋根工事用の工具箱を提供する。【解決手段】底部を内底板と外底板からなる二重底構造とし、内底板は工具箱の上部開口面に平行に取り付ける。外底板は透磁率の低い材料を用い、内底板と所定角度をなすように傾斜して取り付ける。外底板の上面には永久磁石を、その磁束が外底板を貫く方向に向かうようにして固定する。【選択図】図１
2008272907.tif 000002
【特許請求の範囲】
【請求項１】
鋼板をベースとする金属系屋根材でふかれた傾斜屋根上での作業に際し、工具類や小物建築材料等を収納して屋根上に載置しておく金属屋根工事用の工具箱であって、
底部が内底板と外底板からなる二重底構造に形成してあり、
前記内底板は前記工具箱の上部開口面に平行に取り付けてあり、
前記外底板は透磁率の低い材料を用い、その面が前記内底板と所定角度をなすように傾斜して取り付けてあり、その上面には永久磁石がその磁束を該外底板を貫く方向に向かわせるようにして取り付けてあることを特徴とする金属屋根工事用の工具箱。
【請求項２】
鋼板をベースとする金属系屋根材でふかれた傾斜屋根上での作業に際し、工具類や小物建築材料等を収納して屋根上に載置しておく金属屋根工事用の工具箱であって、
底部が内底板と外底板からなる二重底構造に形成してあり、
前記内底板は透磁率の高い材料を用い、前記工具箱の上部開口面に平行に取り付けてあり、
前記外底板は透磁率の低い材料を用い、その面が前記内底板と所定角度をなすように傾斜して取り付けてあり、
前記内底板と外底板との間には、永久磁石が上下に移動可能であって、上方に移動させた場合には前記内底板の下面に磁着し、下方に移動させた場合において前記外底板の下側に透磁率の高い材料が存在する場合には外底板を挟んで該材料に磁着するように取り付けてあることを特徴とする金属屋根工事用の工具箱。
【請求項３】
請求項１又は２に記載の金属屋根工事用の工具箱であって、前記所定角度を５〜３０度としたことを特徴とする金属屋根工事用の工具箱。
【請求項４】
請求項１乃至３の何れかに記載の金属屋根工事用の工具箱であって、前記永久磁石は前記内底板と外底板との間隔が狭くなる方向に寄せて取り付けてあることを特徴とする金属屋根工事用の工具箱。
【請求項５】
請求項１に記載の金属屋根工事用の工具箱であって、前記外底板が内底板に対して傾斜せずに平行に取り付けてあることを特徴とする金属屋根工事用の工具箱。
【請求項６】
鋼板をベースとする金属系屋根材でふかれた傾斜屋根上での作業に際し、工具類や小物建築材料等を収納して屋根上に載置しておく金属屋根工事用の工具箱であって、
該工具箱の底板の下面に永久磁石がその磁束を底板の下方向に向かわせるようにして取り付けてあることを特徴とする金属屋根工事用の工具箱。
【請求項７】
請求項５又は６に記載の金属屋根工事用の工具箱であって、前記永久磁石は底板の一方向に寄せて取り付けてあることを特徴とする金属屋根工事用の工具箱。
【発明の詳細な説明】
【技術分野】
【０００１】
本発明は、鋼板をベースとする金属系屋根材でふかれた屋根上での作業に際し、工具類や小物建築材料等を入れて傾斜屋根上に載置しておくための金属屋根工事用の工具箱に関する。
【背景技術】
【０００２】
住宅の主要構造部の一つである屋根を屋根材で仕上げる作業では、各種工具類や小物建築材料等が必要となる。そうした工具類、小物建築材料等は、通常、工具箱に入れて運ばれる。その工具箱は、作業中は常に作業者の傍らに置かれていることが望ましい。しかし、屋根は一般に傾斜しているため、工具箱を屋根上に直接に置いたのでは滑落する危険性がある。それを避けるため、作業場所から離れた平坦な足場に置いたり、足場に掛けたりすることが行なわれており、作業効率を低下させる原因の一つになっている。
【０００３】
こうした問題を解決するため、従来、勾配屋根に載置可能な屋根工事用の工具箱が種々提案されてきた。例えば、特許文献１には図１４に示すような屋根用工具箱５０が開示されている。この工具箱５０は、工具箱本体５１と、その下端部に回動自在に取り付けられて建築材料等を載置する載置台５２と、その載置台５２の上方に設けられて屋根構造部材５４に係止する係止部５３とから構成されている。そして、載置台５２は工具箱本体５１に収納可能にしてある。しかし、この屋根用工具箱５０の場合、係止部５３を係止させる適当な屋根構造部材５４を必要とするが、そのような屋根構造部材５４が屋根上にいつも存在するとは限らない。また、例え存在しても、工具箱を移動させる度に載置台５２も移動させる必要があり、利便性に問題がある。
【０００４】
また、特許文献２には図１５に示すような工具箱６０が開示されている。この工具箱６０は、箱形工具箱本体６１の両側面に、底辺が箱本体の底板と、立辺が箱本体の前面板と略合致する三角板６２が添わせてある。そして、その斜辺と対向する角部付近で工具箱本体６１を支持し、２枚の三角板６２の底辺間には保持杆６３が取り付けられている。しかし、この工具箱６０は、三角板６２の底辺及び保持杆６３と屋根面との間の摩擦力で滑り止めをしているだけであるため、傾斜角度の急な屋根上では工具箱６０が滑落するおそれがある。
【特許文献１】特開平１１−２４５１８１号公報
【特許文献２】実公昭６２ー５９０６号公報
【発明の開示】
【発明が解決しようとする課題】
【０００５】
本発明は、従来技術のこうした問題点を解決するためになされたもので、その課題は、鋼板をベースとする金属系屋根材でふかれた屋根上での作業に際し、工具類や小物建築材料等を収納して傾斜屋根上に安定して置いておくことができ、持ち運びと取り扱いも容易な金属屋根工事用の工具箱を提供することにある。
【課題を解決するための手段】
【０００６】
前記課題を解決するための請求項１に記載の発明は、鋼板をベースとする金属系屋根材でふかれた傾斜屋根上での作業に際し、工具類や小物建築材料等を収納して屋根上に載置しておく金属屋根工事用の工具箱であって、底部が内底板と外底板からなる二重底構造に形成してあり、内底板は工具箱の上部開口面に平行に取り付けてあり、外底板は透磁率の低い材料を用いてその面が内底板と所定角度をなすように傾斜して取り付けてあり、その上面には永久磁石がその磁束を外底板を貫く方向に向かわせるようにして取り付けてあることを特徴とする金属屋根工事用の工具箱である。
【０００７】
このような構成の工具箱では、外底板に取り付けた永久磁石が傾斜屋根の鋼板を吸引するため、外底板と傾斜屋根表面との間の摩擦力が増加して工具箱の滑落が防止される。このため工具箱を作業者の傍らの傾斜屋根上に置いておくことが可能となり、屋根上作業の利便性が改善される。また、外底板が内底板に対して傾斜して取り付けてあるため、傾斜屋根上に置いた場合に工具箱の開口がほぼ水平となる。そのため工具類、小物建築材料等の収納、取り出しが容易になる。また、磁石は外底板の上面に取り付けてあるため、屋根上に鉄粉、鉄屑等が散乱してもそれらが磁石に付着することもない。
【０００８】
また、請求項２に記載の発明は、鋼板をベースとする金属系屋根材でふかれた傾斜屋根上での作業に際し、工具類や小物建築材料等を収納して屋根上に載置しておく金属屋根工事用の工具箱であって、底部が内底板と外底板からなる二重底構造に形成してあり、内底板は透磁率の高い材料を用いて工具箱の上部開口面に平行に取り付けてあり、外底板は透磁率の低い材料を用いてその面が内底板と所定角度をなすように傾斜して取り付けてあり、内底板と外底板との間には、永久磁石が上下に移動可能であって、上方に移動させた場合には内底板の下面に磁着し、下方に移動させた場合において外底板の下側に透磁率の高い材料が存在する場合には外底板を挟んでその材料に磁着するように取り付けてあることを特徴とする金属屋根工事用の工具箱である。
【０００９】
このような構成によれば、工具箱を運ぶ際には磁石を上に移動させて内底板下面に磁着させておくことができる。また、傾斜屋根に載置する場合は、載置させた後に磁石を外底板上に移動させ、外底板を通して屋根に磁着させて工具箱の滑落を防止させることができる。そして、工具箱を屋根上から持ち上げる際は、工具箱を屋根に載置させたまま磁石を上に移動させて磁石による屋根の吸引を終わらせ、その後に工具箱を持ち上げる。このようにすることで磁石による屋根の吸引を終わらせる際に屋根を外底板で押し付けておくことができるため、磁石の吸引力により屋根板を変形させることがない。また、工具箱を持ち上げる際には磁石と屋根との間に吸引力が働いていないため、工具箱の重量分だけの力で持ち上げることができる。従って、工具箱の載置場所替えの作業性が改善される効果を奏する。
【００１０】
また、請求項３に記載の発明は、請求項１又は２に記載の金属屋根工事用の工具箱であって、外底板に取り付ける永久磁石は内底板と外底板との間隔が狭くなる方向に寄せて取り付けてあることを特徴とする金属屋根工事用の工具箱である。
【００１１】
このような構成とすれば、工具箱の転倒を防止する方向の回転モーメントが増加するため、工具箱の転倒をより効果的に防止することができる。
【００１２】
また、請求項４に記載の発明は、請求項１乃至３の何れかに記載の金属屋根工事用の工具箱であって、内底板と外底板とがなす所定角度を５〜３０度としたことを特徴とする金属屋根工事用の工具箱である。
【００１３】
一般家屋の屋根の傾斜角度は５〜３０度が多い。従って、工具箱の内底板と外底板との傾斜角度を５〜３０度として製作しておけば、磁石による屋根吸引効果と相まって殆どの傾斜屋根において工具箱の滑落、転倒を防止でき、屋根上工事の作業性を高めることができる。
【００１４】
また、請求項５に記載の発明は、請求項１に記載の金属屋根工事用の工具箱であって、外底板が内底板に対して傾斜せずに平行に取り付けてあることを特徴とする金属屋根工事用の工具箱である。
【００１５】
このように外底板を傾斜させない構成であっても、屋根の傾斜角が小さい場合には外底板に取り付けた磁石が鋼板屋根を吸引することにより工具箱の滑落と転倒が防止される効果を奏する。
【００１６】
また、請求項６に記載の発明は、鋼板をベースとする金属系屋根材でふかれた傾斜屋根上での作業に際し、工具類や小物建築材料等を収納して屋根上に載置しておく金属屋根工事用の工具箱であって、工具箱の底板の下面に永久磁石がその磁束を底板の下方向に向かわせるようにして取り付けてあることを特徴とする金属屋根工事用の工具箱である。
【００１７】
このような構成であっても、屋根の傾斜角が小さい場合には底板に取り付けた磁石が鋼板屋根を吸引することにより工具箱の滑落と転倒が防止される効果を奏する。
【００１８】
また、請求項７に記載の発明は、請求項５又は６に記載の金属屋根工事用の工具箱であって、永久磁石は底板の一方向に寄せて取り付けてあることを特徴とする金属屋根工事用の工具箱である。
【００１９】
このような位置に磁石を取り付け、その磁石が屋根の上側方向に位置するように工具箱を置けば、板中央に取り付けた場合よりも工具箱の転倒が効果的に防止される。
【発明を実施するための最良の形態】
【００２０】
以下、本発明に係る金属屋根工事用の工具箱の構成例を実施形態に分けて説明する。
（第１の実施形態）
本実施形態の工具箱１は、傾斜屋根上での作業に際して工具類や小物建築材料等を収納して作業者の傍らに置いておくことを目的とするものであり、その傾斜屋根は鋼板をベースとする金属系屋根材でふかれていることを前提としている。鋼板をベースとする屋根材とは、例えば、塗装した溶融亜鉛めっき鋼板、塗装したガルバリウム鋼板（アルミニウム・亜鉛合金めっき鋼板）等をいい、透磁率が高く磁石に吸引される特性を有する。
【００２１】
図１に、本実施形態の金属屋根工事用の工具箱１を斜視図で示す。図２は、その工具箱１の一部を断面にした側面図である。工具箱１は、工具箱本体２と蓋３により構成されている。工具箱本体２は箱形に形成してあり、その上部には開口部を開閉する蓋３が蝶番５を使用して取り付けてある。また、蓋３は工具箱本体２の上部開口部を閉じた状態でパチン錠型連結具６にてロックできるようになっている。蓋３の上面には、吊り下げ用の把手７が取り付けてある。
【００２２】
工具箱本体２は、底部が内底板８と外底板９からなる二重底構造に構成してある。内底板８は、工具箱本体２の上部開口面に平行に取り付けてある。内底板８と側面板１０とにより囲まれた空間が、工具類や小物建築材料等を収納する空間として使用される。
【００２３】
外底板９は、内底板８の下側に、その面が内底板８に対して５〜３０度の角度をなすように傾斜して取り付けてある。外底板９には透磁率の低い材料を用いる。透磁率の低い材料とは、例えば、アルミニウム、銅、合成樹脂材料等である。内底板８は強度があれば材質を選ばない。
【００２４】
外底板９のほぼ中央の上面には、永久磁石１２が固定板１３を用いて取り付けてある。固定板１３にも透磁率の低い材料を用いることが好ましい。永久磁石１２は、その発生する磁束が外底板９をほぼ垂直に貫くように、例えば、外底板９に接する面側がＮ極、反対側面がＳ極となるように着磁してある。
【００２５】
図１、図２に示した工具箱１は、内底板８と外底板９との角度を、一例として１５度にした工具箱である。この工具箱１を１５度傾いた屋根２０上に置いた場合には、図３に示すように内底板８は水平になり側面板１０はそれに垂直となる。屋根２０が傾いているため工具箱１は滑り落ちようとする。この場合に工具箱１に働く力は、図３中のベクトル図のようになる。工具箱１の重心２１には、工具箱１及び内部に収納された工具等の質量に比例した重力Ｗが鉛直下向きに働く。その重力Ｗは、屋根２０の面を垂直に押し付ける屋根面垂直方向成分Ｗｖと、屋根２０の面に沿って滑落させようとする屋根面平行方向成分Ｗｈに分解して考えることができる。
【００２６】
他方、工具箱１の外底板９の下面と屋根２０の面との間には摩擦力Ｆｆが働く。摩擦力Ｆｆは、工具箱１を屋根２０の面に沿って押し上げる方向（工具箱１の滑落を阻止する方向）に働く。摩擦力Ｆｆの大きさは、工具箱１の外底板９が屋根２０の面を垂直に押し付ける力Ｆに、外底板９の下面と屋根２０の面との間の摩擦係数μを掛けた値である。磁石１２が存在しない場合、その摩擦力Ｆｆは、
Ｆｆ＝μ・Ｆ＝μ・Ｗｖ                                          （１）式
となる。
【００２７】
本実施形態の工具箱１では、外底板９の上面に磁石１２が取り付けてある。その磁石１２は、高い透磁率を有する鋼板をベースとする屋根材でふかれたと屋根２０を吸引する。その反力として、磁石１２は同じ力で屋根２０を押し付ける。その力を吸引力Ｆｍとする。吸引力Ｆｍは、屋根２０の面を垂直に押し付ける方向、即ち、重力Ｗの屋根面垂直方向成分Ｗｖと同じ方向に働く。従って、磁石１２が存在する場合の摩擦力Ｆｆは次のようになる。
Ｆｆ＝μ・Ｆ＝μ・（Ｗｖ＋Ｆｍ）                                （２）式
（１）式との比較から明らかなように、磁石１２は摩擦力Ｆｆを（μ・Ｆｍ）だけ増加させ、工具箱１の滑落を阻止する力Ｆｆを増大させる。
【００２８】
工具箱１が滑らずに静止している状態では、摩擦力Ｆｆは重力Ｗの屋根面平行方向成分Ｗｈに等しく、次の関係が成立している。
Ｗｈ＝Ｆｆ＝μ・（Ｗｖ＋Ｆｍ）                                    （３）式
工具箱１が滑らずに静止している状態における摩擦係数μは、（３）式を満足する値になっている。
【００２９】
屋根２０の傾斜角をθとすると、工具箱１を滑落させようとする力である（３）式左辺の屋根面平行方向成分Ｗｈは（Ｗ・ｓｉｎθ）で計算される。その値は傾斜角θが増すにつれて増大する。反対に、屋根面垂直方向成分Ｗｖは（Ｗ・ｃｏｓθ）で計算されるため、（３）式右辺の重力Ｗによる摩擦力（μ・Ｗｖ）は傾斜角θが増すにつれて減少する。従って、傾斜角θが増すに従って工具箱１は滑り落ち易くなる。磁石１２の吸引力Ｆｍによる摩擦力（μ・Ｆｍ）はその摩擦力の減少を補い、工具箱１の滑落を阻止する働きをする。このように磁石１２を外底板９に取り付けた本実施形態の工具箱１では、滑落が効果的に防止される。
【００３０】
上記は滑落を阻止するための力関係の説明であったが、工具箱１には屋根２０の下り方向に転倒させようとする力も働く。図４は、工具箱１を転倒させようとする力の関係を説明する図である。工具箱１が静止している場合、外底板９の下り側端（以下、回転中心という。）２３を回転中心として、工具箱１を図中右回りに回転させようとする回転モーメントと、それを阻止する左回りの回転モーメントとが働く。
【００３１】
右回りに回転させようとする回転モーメントには、重力Ｗの屋根面平行方向成分Ｗｈによるものがある。工具箱１の重心２１から屋根２０の面に平行に引いた線と回転中心２３との距離をＬｈとすると、その右回り回転モーメントは（Ｗｈ・Ｌｈ）で計算される。これに対し、左回り回転モーメントには、重力Ｗの屋根面垂直方向成分Ｗｖによるものと、磁石１２の吸引力Ｆｍによるものとがある。工具箱１の重心２１から屋根２０の面に垂直に引いた線と回転中心２３との距離をＬｖとすると、Ｗｖによる左回り回転モーメントは（Ｗｖ・Ｌｖ）となる。磁石１２の吸引力Ｆｍが働く中心点から屋根２０の面に垂直に引いた線と回転中心２３との距離をＬｍとすると、吸引力Ｆｍによる左回り回転モーメントは（Ｆｍ・Ｌｍ）となる。
【００３２】
これらのことから、工具箱１が右回りに回転して転倒しないための条件は次のようになる。
Ｗｈ・Ｌｈ＜Ｗｖ・Ｌｖ＋Ｆｍ・Ｌｍ                                （４）式
屋根２０の傾斜角をθとすると、Ｗｈ、Ｗｖはそれぞれ（Ｗ・ｓｉｎθ）、（Ｗ・ｃｏｓθ）で表される。従って、（４）式は次のようになる。
Ｗ・ｓｉｎθ・Ｌｈ＜Ｗ・ｃｏｓθ・Ｌｖ＋Ｆｍ・Ｌｍ                （５）式
傾斜角θが大きくなると（５）式の左辺の値は大きくなり、右辺第１項の値は小さくなる。従って、傾斜角θが大きくなると工具箱１は転倒し易くなる。
【００３３】
吸引力Ｆｍによる左回り回転モーメント（Ｆｍ・Ｌｍ）は、転倒を防止する方向に働く。その値は、吸引力Ｆｍの値が一定の場合、距離Ｌｍに比例して大きくなる。このことから、磁石１２は距離Ｌｍの値が大きい場所に取り付けておいた方が転倒防止に効果があることが分かる。こうした考えから、距離Ｌｍの値が大きくなる位置に磁石１２を取り付けたのが図５に示す工具箱１ａである。距離Ｌｍの値が大きくなる位置とは、内底板８と外底板９と間隔が狭まる位置である。このような位置に磁石１２を取り付ければ、吸引力Ｆｍが同じでも工具箱１ａの転倒を防止する効果を高めることができる。
【００３４】
本実施形態の工具箱１においては、外底板９に透磁率の低い材料を用いている。その理由は、磁石１２から出る磁束の多くを屋根２０の面に垂直に入射させるためである。磁石１２による屋根２０の吸引力Ｆｍは、屋根２０の面に垂直に入射する磁束の磁束密度の二乗に比例する。外底板９に透磁率の低い材料が用いてある場合、磁石１２から出た磁束は、その殆どが図６に示すように屋根２０の面に垂直に入射する（図６は内底板８の透磁率は低いと仮定してある。）。これに対して外底板９に透磁率の高い材料が用いてある場合には、磁石１２から出た磁束のかなりの部分が、図７に示すように透磁率の外底板９の中を水平方向に走り、屋根２０の面に入射することなく磁石１２の反対側極に戻る。このため、磁石１２は外底板９を強く吸引するのみで、屋根２０を吸引する吸引力Ｆｍは弱まる。こうした理由から、外底板９には透磁率の低い材料を用いることが好ましい。また、その厚みも可能な限り薄くしておくことが好ましい。外底板９は、屋根２０上に散らばる鉄粉が磁石１２に磁着するのを防止する効果も発揮する。
【００３５】
図２に示した工具箱１は、内底板８と外底板９との傾斜角度を１５度にした工具箱である。これを傾斜角１０度の屋根上に置いた場合には、図８の（１）に示すように少し傾いた状態となる。傾斜角２０度の屋根上に置いた場合は、図８の（２）に示すように図８の（１）とは反対側に少し傾いた状態となる。水平面上に置いた場合は図８の（３）に示すようになる。しかし、何れの場合も工具箱１の傾きは小さいので作業する上での不都合は少ないと考えられる。
【００３６】
一般家屋の屋根の傾斜角度は５〜３０度位が多い。従って、工具箱１の内底板８と外底板９との傾斜角度を５〜３０度として製作しておけば、殆どの傾斜屋根に対応することができる。但し、傾斜角度が５〜１０度といった緩い勾配屋根上で使うことを目的とする工具箱については、外底板９を内底板８に平行に取り付けた構成としてもよい。図９はそのような構成の工具箱１ｂの一部を断面にした側面図である。この場合も、磁石１２は外底板９上の中央に取り付けるのでなく、屋根２０の上方側に位置させると決めた側に寄せて取り付けておくことが好ましい。更に、このような緩い勾配屋根上で使うことを目的とする工具箱については、外底板９を無くして磁石１２を内底板８の下側に取り付ける構成としてもよい。図１０はそのようなそのような構成の工具箱１ｃの一部を断面にした側面図である。この場合は内底板８が底板となる。磁石１２としては、付着した磁粉の除去が容易なように、表面を薄い樹脂層で被覆したものを使用することが好ましい。
【００３７】
（第２の実施形態）
本実施形態の工具箱は、磁石を外底板上に固定しておくのでなく、手動で上下動させられるようにしたものである。図１１はその工具箱３０の斜視図であり、側面板１０を透視して描いてある。図１２、図１３は工具箱３０の一部を断面にした側面図であり、図１２は磁石１２を上方に移動させた状態、図１３は磁石１２を下方に移動させた状態を示している。
【００３８】
使い方として、この工具箱３０を持ち運ぶ際は、図１２に示すように磁石１２を上方に移動させて内底板８の下面に磁着させておく。工具箱３０を屋根２０上に載置する場合は、図１３に示すように磁石１２を外底板９上に移動させ、屋根２０に磁着させて工具箱３０の滑落と転倒を防止させる。
【００３９】
工具箱の滑落を効果的に防止するには、磁気吸引力の強い永久磁石を使用する必要がある。前述の工具箱１の場合、磁石１２の吸引力が強いと、工具箱を屋根２０から持ち上げる際に屋根２０上面の鋼板に大きな上向き力が働く。この吸引力が大き過ぎると鋼板が変形することがある。また、変形しなくても、工具箱１を持ち上げるには工具箱１の重量に吸引力を加えた力を必要とする。持ち上げの際に大きな力が必要では作業性が悪い。そこで、本実施形態の工具箱３０では、工具箱３０を屋根２０から持ち上げる際には、工具箱３０は動かさずに、まず、磁石１２による屋根２０の吸引だけを終わらせる。次に、吸引力を無くさせた工具箱３０を持ち上げる。このような動作を可能にすることで、屋根２０の鋼板を変形させることなく、工具箱３０の重量分だけの力で持ち上げ可能にしようとするものである。
【００４０】
工具箱３０の内底板８には透磁率の高い材料が用いてあり、外底板９には透磁率の低い材料が用いてある。磁石１２は、蝶番３１を中心として上下に回動する取付板３２に固定してある。磁石１２の上下面は開放状態にしてある。取付板３２における蝶番３１とは反対側の一部は、側面板１０に設けた開口３３を通して工具箱３０の外側に突出させてある。その突出部には把手３４が取り付けてある。把手３４を手動で上下動させることで、磁石１２を上下動させることができる。
【００４１】
工具箱３０を屋根２０上に運ぶ際には、把手３４を上に動かし磁石１２を上に移動させる。磁石１２は内底板８下面に磁着し、把手３４を離してもその状態を維持する。その状態で工具箱３０を持ち上げ、屋根２０上に運び載置させる。載置させた後、把手３４を下に動かし磁石１２を外底板９上に移動させる。磁石１２は外底板９を通して屋根２０に磁着し、工具箱３０はその場所に固定される。
【００４２】
屋根２０上に載置された工具箱３０を持ち上げる際は、まず、工具箱３０の蓋３を上から押さえ、工具箱３０の側面板１０と外底板９とで屋根２０を押し付ける。その状態で把手３４を上に動かして磁石１２を上方移動させ、内底板８の下面に磁着させる。この状態では磁石１２と屋根２０との間隔が開き、磁石１２による屋根２０の吸引力は小さくなる。その状態で工具箱３０を持ち上げる。磁石１２による屋根２０の吸引力が弱まっているため、工具箱３０の重量分だけの力で持ち上げることができる。
【００４３】
このようにすれば、磁石１２による屋根２０の吸引を終わらせる時に屋根２０は内底板８により押し付けられているため、屋根２０が磁石１２の吸引力で変形することはない。また、工具箱３０は工具箱３０の重量分だけの力で持ち上げることができる。従って、工具箱３０の載置場所替えの作業性が良くなる効果がもたらされる。
【００４４】
なお、本実施形態においても図５において説明したように、磁石１２は工具箱１を屋根２０上に置いた場合に上方になる位置に取り付けるとよい。そのようすれば工具箱１の転倒をより効果的に防止できる。
【図面の簡単な説明】
【００４５】
【図１】第１の実施形態に係る工具箱１の斜視図である。
【図２】第１の実施形態に係る工具箱１の一部を断面にした側面図である。
【図３】傾斜屋根上に載置した工具箱１を滑落させようとする力の関係の説明図である。
【図４】傾斜屋根上に載置した工具箱１を転倒させようとする力の関係の説明図である。
【図５】工具箱１の転倒を防止するのに効果的な磁石１２の取り付け位置の説明図である。
【図６】外底板９に透磁率の低い材料を用いた場合の磁束経路の説明図である。
【図７】外底板９に透磁率の高い材料を用いた場合の磁束経路の説明図である。
【図８】内底板８と外底板９との角度を１５度とした工具箱１を様々な傾斜角度の屋根上に置いた場合の状態を示す図である。
【図９】外底面９を内底面８と平行に取り付けた工具箱である。
【図１０】磁石１２を内底面８の下面に取り付けた工具箱である。
【図１１】第２の実施形態に係る工具箱３０の斜視図である。
【図１２】磁石１２を上方に移動させて内底板８の下面に磁着させた状態の側面図である。
【図１３】磁石１２を下方に移動させて外底板９を通して屋根に磁着させた状態の側面図である。
【図１４】従来技術に係る傾斜屋根用の工具箱の例である。
【図１５】従来技術に係る傾斜屋根用の工具箱の他の例である。
【符号の説明】
【００４６】
図面中、１、１ａ、１ｂ、１ｃ、３０は工具箱、２は工具箱本体、８は内底板、９は外底板、１０は側面板、１２は永久磁石、１３は固定板、２０は傾斜屋根、３２は取付板を示す。
【図１】
2008272907.tif 000003
【図２】
2008272907.tif 000004
【図３】
2008272907.tif 000005
【図４】
2008272907.tif 000006
【図５】
2008272907.tif 000007
【図６】
2008272907.tif 000008
【図７】
2008272907.tif 000009
【図８】
2008272907.tif 000010
【図９】
2008272907.tif 000011
【図１０】
2008272907.tif 000012
【図１１】
2008272907.tif 000013
【図１２】
2008272907.tif 000014
【図１３】
2008272907.tif 000015
【図１４】
2008272907.tif 000016
【図１５】
2008272907.tif 000017